(57)【特許請求の範囲】
【請求項１】
角筒状に形成されたプラグシェルを有する第１のプラグコネクタ並びに一部が部分的に膨出されてなる筒状のプラグシェルを有する第２のプラグコネクタが択一的に挿抜自在に接続されるレセプタクルコネクタであって、
第２のプラグコネクタのプラグシェルは、膨出されている前記一部を除いた部分が第１のプラグコネクタのプラグシェルと共通の形状を有しており、
第１及び第２のプラグコネクタの複数のコンタクトと各別に接触導通する複数のコンタクトと、絶縁性を有し、これら複数のコンタクトを支持するボディと、角筒状に形成され、内側に複数のコンタクト及びボディを収納したレセプタクルシェルと、第１及び第２のプラグコネクタにそれぞれ設けられた複数の係合部材と係脱自在に係合する複数の被係合部とを備え、
第２のプラグコネクタにおいては複数の係合部材がプラグシェルにおける膨出部分の両側の位置に設けられ、第１のプラグコネクタにおいては複数の係合部材が、プラグシェルにおける第２のプラグコネクタのプラグシェルと共通の形状を有し且つ第２のプラグコネクタのプラグシェルの膨出部分の両側に相当する位置に設けられており、
前記複数の被係合部は、第２のプラグコネクタのプラグシェルがレセプタクルシェル内に挿入されたときに前記プラグシェルの膨出部分の両側においてレセプタクルシェルの内側に突出する形で設けられてなることを特徴とするレセプタクルコネクタ。
【請求項２】
複数の被係合部は、レセプタクルシェルと一体に設けられることを特徴とする請求項１記載のレセプタクルコネクタ。
【請求項３】
複数の被係合部は、レセプタクルシェルを形成する金属材料を曲げ加工して形成されることを特徴とする請求項２記載のレセプタクルコネクタ。
【請求項４】
複数の被係合部は、プラグシェルの挿入方向における手前側の部位が外側に向かって拡がる形状に形成されていることを特徴とする請求項１〜３の何れか１項に記載のレセプタクルコネクタ。
【請求項５】
第１及び第２のプラグコネクタが有するプラグシェルを保持する保持部がレセプタクルシェル内に設けられたことを特徴とする請求項１〜４の何れか１項に記載のレセプタクルコネクタ。
【請求項６】
前記保持部は、プラグシェルの挿入方向において被係合部の奥側に設けられていることを特徴とする請求項５記載のレセプタクルコネクタ。
【請求項７】
複数のコンタクトは、プラグシェルの挿入方向において相対的に手前側に位置するコンタクトと相対的に奥側に位置するコンタクトからなることを特徴とする請求項１〜６の何れか１項に記載のレセプタクルコネクタ。
【発明の詳細な説明】
【技術分野】
【０００１】
本発明は、部分的に形状が異なる複数種類のプラグコネクタが挿抜自在に接続されるレセプタクルコネクタに関するものである。
【背景技術】
【０００２】
近年、携帯電話機やディジタル家電製品（ディジタルカメラやディジタルビデオカメラ、ディジタルオーディオプレーヤなど）のインタフェース部としてＵＳＢ規格に準拠したコネクタが多用されている（例えば、特許文献１参照）。
【０００３】
図６に示すように、特許文献１に記載されているコネクタは、プラグコネクタ１００とレセプタクルコネクタ２００からなる。プラグコネクタ１００は、金属材料によって角筒状に形成されたシェル１０１と、シェル１０１の内側に列設されている複数のコンタクト（図示せず）と、絶縁性を有する合成樹脂成形品からなり、これら複数のコンタクトを支持してシェル１０１内に収納されるボディ１０２とを備えている。一方、レセプタクルコネクタ２００は、金属材料によって角筒状に形成されたシェル２０１と、シェル２０１の内側に列設されている複数のコンタクト（図示せず）と、絶縁性を有する合成樹脂成形品からなり、これら複数のコンタクトを支持してシェル２０１内に収納されるボディ２０２とを備えている。そして、レセプタクルコネクタ２００のシェル２０１内にプラグコネクタ１００のシェル１０１が挿入されると、両者のコンタクト同士が接触導通して機械的及び電気的に接続されることになる。ここで、従来のコネクタでは、プラグコネクタとレセプタクルコネクタの機械的な結合がシェル同士の弾性力で保持されていたが、上記従来例ではコネクタが非常に小型化されているためにシェル同士の弾性力で結合を保持することが困難となるので、プラグコネクタ１００に一対の係合部材１０３，１０３を設けるとともに、レセプタクルコネクタ２００には一対の係合部材１０３，１０３と係脱自在に係合する被係合部２０３，２０３を設け、係合部材１０３と被係合部２０３との係合によってプラグコネクタ１００とレセプタクルコネクタ２００の結合を保持するようになっている。
【０００４】
係合部材１０３は、後端部がボディ１０２に固定されるとともに後端部を支点として撓み自在である先端部に係合爪１０３ａが突設されてなり、シェル１０１の一面（図６における上面）に開口した開口溝１０４を通して係合爪１０３ａがシェル１０１の外側に進退自在に進出するようにシェル１０１内に収納されている。尚、一対の係合部材１０３，１０３は複数のコンタクトが並ぶ方向（図６における紙面と垂直な方向）に沿って当該コンタクトを挟む形で並設されている。
【０００５】
被係合部２０３，２０３は、シェル２０１の一面（図６における上面）に開口した孔からなる。尚、これら一対の被係合部２０３，２０３は複数のコンタクトが並ぶ方向（図６における紙面と垂直な方向）に沿って当該コンタクトを挟む形で並設されている。
【０００６】
而して、プラグコネクタ１００のシェル１０１をレセプタクルコネクタ２００のシェル２０１内に挿入すると、開口溝１０４から進出している係合爪１０３ａがシェル２０１内面と摺接することで係合部材１０３が下向きに撓み、コンタクト同士が接触する位置まで到達すると開口溝１０４からシェル１０１の外へ進出した係合爪１０３ａがシェル２０１の被係合部２０３とそれぞれ係合し、その結果、プラグコネクタ１００とレセプタクルコネクタ２００の結合を保持することができる。尚、プラグコネクタ１００を反挿入向き（図６における右向き）にある程度の力で引っ張れば、係合部材１０３，１０３が撓んで係合爪１０３ａと被係合部２０３との係合が外れてプラグコネクタ１００をレセプタクルコネクタ２００から離脱することができる。
【特許文献１】登録実用新案公報第３１４１１９５号
【発明の開示】
【発明が解決しようとする課題】
【０００７】
ところで、上記従来例のように規格等でコンタクト数が５つと規定されているような場合、６つ以上のコンタクトが必要であれば、例えば、プラグコネクタのシェルを部分的に外側に膨出させることで生じるスペースに６番目以降の１乃至複数のコンタクトを配設することが考えられる。このとき、プラグコネクタのシェル形状に合わせてレセプタクルコネクタのシェルを部分的に外側に膨出させると、レセプタクルコネクタが搭載される機器のハウジングにおいて、レセプタクルコネクタの差込口をハウジング外に臨ませるための開口部分の形状が複雑になってしまう。例えば、従来の開口部分の形状は単純な矩形（長方形）であるが、上述のようにシェルの一部を部分的に外側に膨出させたときの開口部分の形状は略凸字形状となり、ハウジングの製造コスト（例えば、合成樹脂成形品からなるハウジングの金型費など）が上昇してしまう虞がある。したがって、コンタクト数を増やす場合においてもレセプタクルコネクタのシェル形状は従来通りの単純な形状（角筒形状など）であることが望ましい。
【０００８】
一方、コンタクト数を増やした場合でもプラグコネクタの係合部材とレセプタクルコネクタの被係合部とを係合させて両者の結合を機械的に保持させる必要があるが、レセプタクルコネクタのシェルを単純な形状とし、且つコンタクト数の増加に伴ってシェルの寸法を大きくした場合、従来例のようにシェルに設けた孔を被係合部とするためには係合部材の係合爪の突出寸法を大きくしなければならないという問題や、上記従来例のようなプラグコネクタ（コンタクト数が５つのもの）では係合部材の係合爪がシェルの被係合部に係合できないために当該プラグコネクタを接続することができないという問題がある。
【０００９】
本発明は上記事情に鑑みて為されたものであり、その目的は、部分的に形状が異なる複数種類のプラグコネクタが接続できるとともに係合部材と被係合部との係合によって結合を保持することが可能なレセプタクルコネクタを提供することにある。
【課題を解決するための手段】
【００１０】
請求項１の発明は、上記目的を達成するために、角筒状に形成されたプラグシェルを有する第１のプラグコネクタ並びに一部が部分的に膨出されてなる筒状のプラグシェルを有する第２のプラグコネクタが択一的に挿抜自在に接続されるレセプタクルコネクタであって、第２のプラグコネクタのプラグシェルは、膨出されている前記一部を除いた部分が第１のプラグコネクタのプラグシェルと共通の形状を有しており、第１及び第２のプラグコネクタの複数のコンタクトと各別に接触導通する複数のコンタクトと、絶縁性を有し、これら複数のコンタクトを支持するボディと、角筒状に形成され、内側に複数のコンタクト及びボディを収納したレセプタクルシェルと、第１及び第２のプラグコネクタにそれぞれ設けられた複数の係合部材と係脱自在に係合する複数の被係合部とを備え、第２のプラグコネクタにおいては複数の係合部材がプラグシェルにおける膨出部分の両側の位置に設けられ、第１のプラグコネクタにおいては複数の係合部材が、プラグシェルにおける第２のプラグコネクタのプラグシェルと共通の形状を有し且つ第２のプラグコネクタのプラグシェルの膨出部分の両側に相当する位置に設けられており、前記複数の被係合部は、第２のプラグコネクタのプラグシェルがレセプタクルシェル内に挿入されたときに前記プラグシェルの膨出部分の両側においてレセプタクルシェルの内側に突出する形で設けられてなることを特徴とする。
【００１１】
請求項１の発明によれば、複数の被係合部が、第２のプラグコネクタのプラグシェルがレセプタクルシェル内に挿入されたときに前記プラグシェルの膨出部分の両側においてレセプタクルシェルの内側に突出する形で設けられているので、レセプタクルシェルの形状を変更せずに第１のプラグコネクタと第２のプラグコネクタの双方の係合部材を被係合部に係合させることができる。その結果、部分的に形状が異なる複数種類のプラグコネクタが接続できるとともに係合部材と被係合部との係合によって結合を保持することが可能なレセプタクルコネクタが提供できる。
【００１２】
請求項２の発明は、請求項１の発明において、複数の被係合部は、レセプタクルシェルと一体に設けられることを特徴とする。
【００１３】
請求項２の発明によれば、部品点数が増えないために組立のコスト上昇が抑えられる。
【００１４】
請求項３の発明は、請求項２の発明において、複数の被係合部は、レセプタクルシェルを形成する金属材料を曲げ加工して形成されることを特徴とする。
【００１５】
請求項３の発明によれば、被係合部の製造コストを抑えることができる。
【００１６】
請求項４の発明は、請求項１〜３の何れか１項の発明において、複数の被係合部は、プラグシェルの挿入方向における手前側の部位が外側に向かって拡がる形状に形成されていることを特徴とする。
【００１７】
請求項４の発明によれば、レセプタクルシェルへのプラグシェルの挿入が容易になる。
【００１８】
請求項５の発明は、請求項１〜４の何れか１項の発明において、第１及び第２のプラグコネクタが有するプラグシェルを保持する保持部がレセプタクルシェル内に設けられたことを特徴とする。
【００１９】
請求項５の発明によれば、プラグコネクタのこじりに対する保持強度を向上できる。
【００２０】
請求項６の発明は、請求項５の発明において、前記保持部は、プラグシェルの挿入方向において被係合部の奥側に設けられていることを特徴とする。
【００２１】
請求項６の発明によれば、第２のプラグコネクタのプラグシェルにおける膨出部分が一対の被係合部及び保持部によって挟み込まれるので、プラグコネクタのこじりに対する保持強度をさらに向上できる。
【００２２】
請求項７の発明は、請求項１〜６の何れか１項の発明において、複数のコンタクトは、プラグシェルの挿入方向において相対的に手前側に位置するコンタクトと相対的に奥側に位置するコンタクトからなることを特徴とする。
【００２３】
請求項７の発明によれば、複数のコンタクトを挿入方向に沿ってずらして位置させることにより、各コンタクトを撓ませるためのスペースを大きく採ることができる。
【発明の効果】
【００２４】
本発明によれば、部分的に形状が異なる複数種類のプラグコネクタが接続できるとともに係合部材と被係合部との係合によって結合を保持することが可能なレセプタクルコネクタが提供できる。
【発明を実施するための最良の形態】
【００２５】
以下、本発明の実施形態について、図面を参照しながら詳細に説明する。但し、本発明の技術思想が適用可能なコネクタは特定の規格に準拠するコネクタに限定されるものではなく、任意の規格（例えば、ＵＳＢ規格やＩＥＥＥ１３９４規格など）に準拠するコネクタ全般に適用可能である。
【００２６】
（実施形態１）
本実施形態のレセプタクルコネクタＲ１は、図１及び図２に示すように複数（図示例では１２本）のコンタクト２と、これら複数のコンタクト２を支持するボディ１と、内側に複数のコンタクト２及びボディ１を収納したレセプタクルシェル３とを備えている。尚、以下の説明では図１（ａ）において上下左右の各方向を規定し、図１（ｂ）における左方を前方（手前）、右方を後方（奥）とし、前方から後方へ向かう向きを挿入向き、後方から前方へ向かう向きを反挿入向きと呼ぶ。
【００２７】
ボディ１は絶縁性を有する合成樹脂成形品からなり、略直方体形状の主部１０と、主部１０の前面より前方へ突出する矩形板状のポスト１１とを有している。主部１０並びにポスト１１には、複数のコンタクト２がインサート成形されている。コンタクト２は帯板状の金属板が鈎形に折曲されてなり、図１（ｂ）に示すように主部１０にインサートされている主片２０と、主片２０の前端から前方へ延びる接触片２１と、主片２０の後端より後方へ延びる端子片２２とを有している。ここで、１２本のうちの５本のコンタクト２Ａは接触片２１（２１Ａ）がポスト１１の下面側に露設され、残り７本のコンタクト２Ｂは接触片２１（２１Ｂ）がポスト１１の上面側に露設されている。尚、ポスト１１の下面側及び上面側の何れにおいても各接触片２１Ａ，２１Ｂは左右方向に等間隔（等ピッチ）で並設されている（図１（ａ），図２（ｅ）参照）。また、１２本のコンタクト２の各端子片２２は、図２（ｅ）及び（ｆ）に示すように主部１０の後方下部において左右方向に等間隔（等ピッチ）で並設されている。
【００２８】
レセプタクルシェル３は、耐食性を有する金属製（例えば、ステンレス鋼製）の板材によって角筒状に形成され、後端側の下部が切り欠かれている（図２（ｃ）参照）。そして、後端側から挿入されるボディ１の下部前面がレセプタクルシェル３の下部後端面と当接した状態で、レセプタクルシェル３の上側後端部分の左右中央より下方へ切り起こされた一対の切り起こし片３０，３０をボディ１の上部後面に当接させることでボディ１がレセプタクルシェル３内に収納され且つ抜け止めされる（図１（ｂ）参照）。尚、ボディ１の上側後端部には、下方に切り起こされた切り起こし片３０，３０を逃げるために凹部１２が設けられている（図２（ｆ）参照）。
【００２９】
またレセプタクルシェル３の上下左右の各前端縁からは各々外側に曲げ起こされた誘い込み片３１が突出している。そして、上部の誘い込み片３１の左右両側に一対の被係合部３２，３２が設けられている。被係合部３２は、レセプタクルシェル３の前端縁から延出されている幅細の突片を下方及び後方へ弧状に曲げることで形成されている。ここで、被係合部３２は、その前方部分３２ａが略円弧状に曲成され、中間部分３２ｂがほぼ水平に形成され、さらに後端部分３２ｃが斜め上後向きに曲げ起こされている。
【００３０】
さらに、レセプタクルシェル３の左右両側面における前後方向の略中央部分には、レセプタクルシェル３内に向かってほぼ水平に延出する一対の保持部３３，３３が切り起こして形成されている。但し、各保持部３３，３３の上側には、ボディ１前面の左右両端部より前方へ突設された一対の保持片１３，１３が配置されており、これら一対の保持部３３，３３が上方へ曲げられることを各保持片１３，１３によって抑制している。尚、図１（ａ）に示すように保持部３３は前後方向において被係合部３２と重なる位置に設けられるとともに、被係合部３２の中間部分３２ｂの下端面と保持部３３の下端面とは上下方向において略同一高さに配置されている。
【００３１】
ところで、本実施形態のレセプタクルコネクタＲ１に対して挿抜自在に接続されるプラグコネクタには２種類有る。一つは、特許文献１に記載されているプラグコネクタ（以下、「第１のプラグコネクタ」と呼ぶ。）１００であり、もう一つは図３に示すプラグコネクタ（以下、「第２のプラグコネクタ」と呼ぶ。）３００である。
【００３２】
第２のプラグコネクタ３００は、図３（ａ）に示すように上面における左右方向中央部分が上方へ膨出することにより、プラグシェル３０１が前方から見て略凸字状に形成されるとともに、当該膨出部分３０１ａに追加のコンタクト３０２（図示例では７本）が左右方向に沿って並設されている点が第１のプラグコネクタ１００と異なっている。尚、第２のプラグコネクタ３００においては、プラグシェル３０１上面における膨出部分３０１ａの左右両側に形成された溝３０１ｂ、３０１ｂを通して係合部材３０３，３０３の係合爪３０３ａ，３０３ａが進退自在にプラグシェル３０１から突出している。ここで、第１のプラグコネクタ１００と第２のプラグコネクタ３００においては、プラグシェル１０１，３０１の左右方向の幅寸法と下側に並設されている５本のコンタクト３０４の位置、膨出部分３０１ａを除いたプラグシェル１０１，３０１の上下寸法及び前後寸法と一対の係合部材１０３，３０３の位置などは共通となっている。
【００３３】
而して、本実施形態のレセプタクルコネクタＲ１に第１のプラグコネクタ１００を接続した場合、図１（ａ）に示すように第１のプラグコネクタ１００のプラグシェル１０１はレセプタクルシェル３における被係合部３２，３２よりも下側の空間にのみ挿入され、プラグシェル１０１上面の左右両側に設けられている一対の係合部材１０３，１０３の各係合爪１０３ａ、１０３ａがレセプタクルシェル３に設けられている一対の被係合部３２，３２と各々係合することになる（図１（ｂ）参照）。このとき、レセプタクルコネクタＲ１のポスト１１下面側に並設されている５本のコンタクト２Ａの接触片２１Ａと、第１のプラグコネクタ１００のプラグシェル１０１内の下側に並設されている５本のコンタクト１０５（図１（ａ）参照）とが上下方向に各別に弾接して接触導通する。尚、プラグシェル１０１の左右方向における外寸とレセプタクルシェル３の左右方向における内寸がほぼ等しいから、レセプタクルシェル３の左右両側に設けられいてる一対の保持部３３，３３の下側にプラグシェル１０１の先端側の左右両端部が位置し、これら一対の保持部３３，３３によってプラグシェル１０１が保持されることになる（図１（ｂ）参照）。
【００３４】
一方、本実施形態のレセプタクルコネクタＲ１に第２のプラグコネクタ３００を接続した場合、図１（ｃ）に示すように第２のプラグコネクタ３００のプラグシェル３０１はレセプタクルシェル３における被係合部３２，３２よりも下側の空間と左右方向において被係合部３２，３２に挟まれた空間とに挿入されるとともに、プラグシェル３０１上面の膨出部分３０１ａを挟んで左右両側に設けられている一対の係合部材３０３の各係合爪３０３ａがレセプタクルシェル３に設けられている一対の被係合部３２，３２と各々係合することになる（図１（ｂ）参照）。このとき、レセプタクルコネクタＲ１のポスト１１下面側に並設されている５本のコンタクト２Ａの接触片２１Ａと、第２のプラグコネクタ３００のプラグシェル３０１内の下側に並設されている５本のコンタクト３０４とが上下方向に各別に弾接して接触導通すると同時に、ポスト１１上面側に並設されている７本のコンタクト２Ｂの接触片２１Ｂと、第２のプラグコネクタ３００のプラグシェル３０１内の上側に並設されている７本のコンタクト３０２とが上下方向に各別に弾接して接触導通する。さらに、プラグシェル３０１の左右方向における外寸は第１のプラグコネクタ１００のプラグシェル１０１の左右方向における外寸と共通であるから、第１のプラグコネクタ１００と同様に、レセプタクルシェル３の左右両側に設けられいてる一対の保持部３３，３３の下側にプラグシェル３０１の先端側の左右両端部が位置し、これら一対の保持部３３，３３によってプラグシェル３０１が保持されることになる（図１（ｂ）参照）。
【００３５】
上述のように本実施形態のレセプタクルコネクタＲ１では、コンタクトの本数及びシェル（プラグシェル）の形状が異なる２種類のプラグコネクタ（第１のプラグコネクタ１００と第２のプラグコネクタ３００）が何れも挿抜自在に接続できるとともに、第１及び第２のプラグコネクタ１００，３００が共通に備えている一対の係合部材１０３，３０３と係脱自在に係合する被係合部３２，３２を有しているため、第１のプラグコネクタ１００と第２のプラグコネクタ３００の何れが接続された場合でも同程度に結合を保持することができる。しかも、これら一対の被係合部３２，３２がレセプタクルシェル３の内側に突出する形で設けられているので、第２のプラグコネクタ３００のプラグシェル３０１の形状に合わせてレセプタクルシェルを前方から見て略凸字形状とせずに、従来例と同様の単純な角筒形状とすることが可能である。そして、レセプタクルシェル３を単純な角筒形状に形成することができれば、レセプタクルコネクタＲ１が搭載される機器（携帯電話機やディジタル家電機器など）のハウジングにおいて、レセプタクルコネクタＲ１の差込口（レセプタクルシェル３の前方開口部分）をハウジング外に臨ませるための開口部分の形状を単純な形状（長方形）にできるから、当該機器の製造コストの上昇を抑えることができるものである。
【００３６】
また本実施形態のレセプタクルコネクタＲ１では、レセプタクルシェル３を形成する金属材料（ステンレス鋼からなる金属板）を曲げ加工することで一対の被係合部３２，３２がレセプタクルシェル３と一体に形成されているので、被係合部をレセプタクルシェル３と別体に形成する場合と比較して部品点数が増えないために組立のコスト上昇が抑えられるとともに、被係合部３２，３２の製造コストを抑えることができるという利点がある。さらに、被係合部３２はプラグシェル１０１，３０１の挿入方向における手前側の部位（前方部位３２ａ）が外側に向かって拡がる形状に形成されているため、レセプタクルシェル３へのプラグシェル１０１，３０１の挿入が容易になるという利点もある。
【００３７】
また、上述したように第１及び第２のプラグコネクタ１００，３００の各プラグシェル１０１，３０１を保持する保持部３３，３３がレセプタクルシェル３内に設けられているので、プラグコネクタ１００，３００のこじりに対する保持強度が向上でき、しかも、保持部３３がプラグシェル１００，３００の挿入方向において被係合部３２の奥側に設けられているから、第２のプラグコネクタ３００のプラグシェル３０１における膨出部分３０１ａが一対の被係合部３２，３２及び保持部３３，３３によって左右方向に挟み込まれるため、第２のプラグコネクタ３００のこじりに対する保持強度がさらに向上できるという利点がある。
【００３８】
ここで、本実施形態では一対の被係合部３２，３２をレセプタクルシェル３と一体に形成しているが、図４に示すように合成樹脂成形品からなるボディ１と一体に被係合部１４，１４を形成しても良い。
【００３９】
（実施形態２）
実施形態１のレセプタクルコネクタＲ１では、ポスト１１の下面側に並設される５本のコンタクト２Ａとポスト１１の上面側に並設される７本のコンタクト２Ｂがポスト１１の前後方向において同じ位置に配設されている。この場合、ポスト１１の厚み寸法（上下寸法）は規格によって一意に決まってしまう。一方、第２のプラグコネクタ３００においては、コンタクト３０２が上下方向に撓み自在に形成されていることでレセプタクルコネクタＲ１のコンタクト２と弾接するのであるが、レセプタクルコネクタＲ１と接続されていない状態では、ポスト１１の厚み寸法が小さいために下側のコンタクト３０２Ａと上側のコンタクト３０２Ｂとの間に充分な距離を保つことが難しく、両コンタクト３０２Ａ，３０２Ｂが接触してしまう可能性が有る。特に、上側に併設するコンタクト３０２Ｂの本数が多いほど接触の可能性が高くなる。
【００４０】
そこで本実施形態のレセプタクルコネクタＲ２においては、図５に示すように上側のコンタクト２Ｂを下側のコンタクト２Ａに対して後方にずらして配置することにより、第２のプラグコネクタ（図示せず）における上側及び下側のコンタクトが撓むスペースを相対的に大きくしている。但し、本実施形態のレセプタクルコネクタＲ２は実施形態１のレセプタクルコネクタＲ１と基本的な構成が共通しているから、共通の構成要素には同一の符号を付して説明を省略する。
【００４１】
本実施形態のレセプタクルコネクタＲ２は、図５に示すように下面側に５本のコンタクト２Ａが並設される第１のポスト１１Ａと、主部１０の前面より突設されて上面側に７本のコンタクト２Ｂが並設されるとともに第１のポスト１１Ａが前面より突設されている第２のポスト１１Ｂとを備えている点に特徴がある。尚、第１のポスト１１Ａの厚み寸法並びに前後方向の長さ寸法は実施形態１のレセプタクルコネクタＲ１におけるポスト１１と共通である。
【００４２】
第２のポスト１１Ｂは、上面が第１のポスト１１Ａの上面と面一であり且つ下面がボディ１の主部１０の下面と面一となる高さ寸法に形成され、その上面に７本のコンタクト２Ｂが露設されている。したがって、第１のポスト１１Ａに支持されている５本のコンタクト２Ａに対して、第２のポスト１１Ｂに支持されている７本のコンタクト２Ｂが後方にずれて配置されることになる。尚、レセプタクルシェル３の前後寸法もボディ１に合わせて延長されている。
【００４３】
而して、本実施形態のレセプタクルコネクタＲ２では、上述のように第２のポスト１１Ｂに支持されるコンタクト２Ｂを第１のポスト１１Ａに支持されるコンタクト２Ａに対して後方にずらして配置しているので、第２のプラグコネクタ（図示せず）におけるコンタクトが撓むスペースを相対的に大きくすることができて未接続時における上側と下側のコンタクトの接触を回避することができる。
【００４４】
ところで、本発明に係るレセプタクルコネクタにおいては、レセプタクルシェルの断面形状（前後方向と直交する面の断面形状）を、２種類のプラグコネクタのプラグシェルの断面形状（前後方向と直交する面の断面形状）と共通している部分（以下、「共通形状部分」と呼ぶ。）と、相違している部分（以下、「相違形状部分」と呼ぶ。）とを組み合わせて形成していると考えることができる。すなわち、上述した実施形態１，２においては、第１のプラグコネクタ１００のみが挿入可能であった従来例のレセプタクルシェル２０１よりも上下方向に拡大したレセプタクルシェル３を形成するとともに、レセプタクルシェル３の上部における左右両側より内向きに突出する部分（被係合部３２又は１４）を設けることによって、被係合部３２（又は１４）よりも下側の部分を２種類のプラグコネクタ（第１及び第２のプラグコネクタ１００，３００）のプラグシェル１０１，３０１との共通形状部分とし、左右方向において被係合部３２（又は１４）に挟まれた部分を第２のプラグコネクタ３００のプラグシェル３０１における膨出部分３０１ａに対応した相違形状部分としており、第２のプラグコネクタ３００が接続された場合、プラグシェル３０１の膨出部分３０１ａがレセプタクルシェル３の相違形状部分内に収まり、一対の被係合部３２（又は１４）とレセプタクルシェル３の共通形状部分とで第２のプラグコネクタ３００のプラグシェル３０１を上下左右の両方向から挟み込んで支持している。
【図面の簡単な説明】
【００４５】
【図１】本発明の実施形態１を示し、（ａ）は第１のプラグコネクタを接続した状態の正面図、（ｂ）は第１又は第２のプラグコネクタを接続した状態の側面断面図、（ｃ）は第２のプラグコネクタを接続した状態の正面図である。
【図２】同上を示し、（ａ）は正面図、（ｂ）は上面図、（ｃ）は下面図、（ｄ）は右側面図、（ｅ）は下面断面図、（ｆ）は背面図である。
【図３】第２のプラグコネクタを示し、（ａ）は正面図、（ｂ）は上面図、（ｃ）は右側面図である。
【図４】同上の別の構成を示す側断面図である。
【図５】本発明の実施形態２を示し、（ａ）は正面図、（ｂ）は上面図、（ｃ）は右側面図、（ｅ）は右側面断面図、（ｆ）は背面図である。
【図６】従来のレセプタクルコネクタとプラグコネクタの接続状態を示す側面断面図である。
【符号の説明】
【００４６】
Ｒ１  レセプタクルコネクタ
１  ボディ
２  コンタクト
３  レセプタクルシェル
１１  ポスト
３２  被係合部
１００  第１のプラグコネクタ
１０３  係合部材
１０３ａ  係合爪
３００  第２のプラグコネクタ
３０３  係合部材
３０３ａ  係合爪
【図１】
0004678422.tif 000002
【図２】
0004678422.tif 000003
【図３】
0004678422.tif 000004
【図４】
0004678422.tif 000005
【図５】
0004678422.tif 000006
【図６】
0004678422.tif 000007